(57)【要約】      （修正有）【課題】パネル体に設けられた表示装置のメンテナンスを容易に行うことができるドアパネルを提供する。【解決手段】建物の開口部を開閉可能とするパネル体と、パネル体の一方の表面が表示面となるように配設された内方ディスプレイ５０とを備えるドアパネルであって、パネル体には、内方ディスプレイ５０の背面に対向する部位に凹部１０Ｂが設けられているとともに、凹部１０Ｂを覆うようにヒンジ２３を介して支持体２０が開閉可能に支持され、支持体２０に内方ディスプレイ５０が取り付けられている。【選択図】図４
2019190112.tif 000002
【特許請求の範囲】
【請求項１】
建物の開口部を開閉可能とするパネル体と、前記パネル体の一方の表面が表示面となるように配設された表示装置とを備えるドアパネルであって、
前記パネル体には、前記表示装置の背面に対向する部位に凹部が設けられているとともに、前記凹部を覆うようにヒンジを介して支持体が開閉可能に支持され、前記支持体に前記表示装置が取り付けられていることを特徴とするドアパネル。
【請求項２】
前記パネル体は、四周枠組みした構造材の両面にそれぞれ表面材を設けることより構成され、互いに平行に延在する２つの構造材には、相互間を連結する補強材が設けられたものであり、
前記ヒンジは、前記補強材に取り付けられていることを特徴とする請求項１に記載のドアパネル。
【請求項３】
前記パネル体は、左右の構造材のうちの一方がドアヒンジを介して前記建物に支持され、上下に沿った軸心を中心として回転することにより前記建物の開口部を開閉するものであり、
前記補強材は、前記パネル体において前記ドアヒンジが取り付けられた構造材と前記表示装置との間に上下に沿って配設されていることを特徴とする請求項２に記載のドアパネル。
【請求項４】
前記表示装置は、前記パネル体に対して前記支持体を開いた際に操作可能となる位置に前記支持体との取付部が設けられていることを特徴とする請求項１に記載のドアパネル。
【請求項５】
前記パネル体には、他方の表面が表示面となるように第２の表示装置が設けられ、前記第２の表示装置の両側となる部位にそれぞれ前記補強材が設けられ、これら補強材の間は連結材によって連結され、前記第２の表示装置が前記連結材に取り付けられており、
前記連結材は、前記凹部を介して操作可能となる位置に前記補強材との取付部が設けられていることを特徴とする請求項２に記載のドアパネル。
【発明の詳細な説明】
【技術分野】
【０００１】
本発明は、ドアパネルに関するもので、より詳細には、パネル体に表示装置を備えたドアパネルに関するものである。
【背景技術】
【０００２】
パネル体に表示装置を備えたドアパネルとしては、例えば、特許文献１に記載されたものがある。このドアパネルでは、パネル体の一方の面に凹部を設け、この凹部内に表示装置を収納するようにしている。凹部の開口部全面は、ハーフミラーを貼り付けることによって塞がれている。上記のように表示装置を備えるドアパネルによれば、表示装置に様々な表示を行うことでドアに付加価値を与えることが可能となる。
【先行技術文献】
【特許文献】
【０００３】
【特許文献１】特開２０１７−９５９６３号公報
【発明の概要】
【発明が解決しようとする課題】
【０００４】
ところで、表示装置として適用される液晶ディスプレイや、プラズマディスプレイ、ＥＬディスプレイは、いずれもメンテナンスが必要である。しかしながら、上述のドアパネルにあっては、表示装置がパネル体の凹部に収納され、さらに凹部の開口部がハーフミラーによって覆われた状態にある。このため、表示装置のメンテナンスを行うには、ハーフミラーを剥がす等、ドアパネルを分解しなければならない。また、メンテナンスが終了した場合には、再びハーフミラーを貼り付けなければならず、その作業が煩雑となる。
【０００５】
本発明は、上記実情に鑑みて、パネル体に設けられた表示装置のメンテナンスを容易に行うことのできるドアパネルを提供することを目的とする。
【課題を解決するための手段】
【０００６】
上記目的を達成するため、本発明に係るドアパネルは、建物の開口部を開閉可能とするパネル体と、前記パネル体の一方の表面が表示面となるように配設された表示装置とを備えるドアパネルであって、前記パネル体には、前記表示装置の背面に対向する部位に凹部が設けられているとともに、前記凹部を覆うようにヒンジを介して支持体が開閉可能に支持され、前記支持体に前記表示装置が取り付けられていることを特徴とする。
【０００７】
この発明によれば、パネル体に対して支持体を開閉することにより、表示装置がパネル体の凹部に対して収納された状態と、パネル体から逸脱された状態とに移動する。従って、支持体を開くことにより、表示装置に対してメンテナンスを容易に行うことが可能となる。
【０００８】
また本発明は、上述したドアパネルにおいて、前記パネル体は、四周枠組みした構造材の両面にそれぞれ表面材を設けることより構成され、互いに平行に延在する２つの構造材には、相互間を連結する補強材が設けられたものであり、前記ヒンジは、前記補強材に取り付けられていることを特徴とする。
【０００９】
この発明によれば、表示装置の荷重がヒンジ及び補強材を介してパネル体の構造材に伝達されることになるため、重量の大きい表示装置についてもパネル体に配設することが可能となる。
【００１０】
また本発明は、上述したドアパネルにおいて、前記パネル体は、左右の構造材のうちの一方がドアヒンジを介して前記建物に支持され、上下に沿った軸心を中心として回転することにより前記建物の開口部を開閉するものであり、前記補強材は、前記パネル体において前記ドアヒンジが取り付けられた構造材と前記表示装置との間に上下に沿って配設されていることを特徴とする。
【００１１】
この発明によれば、表示装置の荷重が加わる補強材がパネル体の荷重を受けるドアヒンジの側に設けら、剛性を確保すべき部分が集中することになるため、パネル体の剛性を確保する上で有利となる。
【００１２】
また本発明は、上述したドアパネルにおいて、前記表示装置は、前記パネル体に対して前記支持体を開いた際に操作可能となる位置に前記支持体との取付部が設けられていることを特徴とする。
【００１３】
この発明によれば、支持体を開くことによって表示装置の着脱を行うことができるため、表示装置の交換等、表示装置を着脱する際の作業が容易となる。
【００１４】
また本発明は、上述したドアパネルにおいて、前記パネル体には、他方の表面が表示面となるように第２の表示装置が設けられ、前記第２の表示装置の両側となる部位にそれぞれ前記補強材が設けられ、これら補強材の間は連結材によって連結され、前記第２の表示装置が前記連結材に取り付けられており、前記連結材は、前記凹部を介して操作可能となる位置に前記補強材との取付部が設けられていることを特徴とする。
【００１５】
この発明によれば、支持体を開くことによって第２の表示装置の着脱を行うことができるため、第２の表示装置の交換等、第２の表示装置を着脱する際の作業が容易となる。
【発明の効果】
【００１６】
本発明によれば、パネル体に対して支持体を開閉することにより、表示装置がパネル体の凹部に対して収納された状態と、パネル体から逸脱された状態とに移動する。従って、支持体を開くことにより、表示装置に対してメンテナンスを容易に行うことが可能となる。
【図面の簡単な説明】
【００１７】
【図１】本発明の実施の形態であるドアパネルを適用した玄関ドアを室外側から見た概念図である。
【図２】図１に示した玄関ドアを室内側から見た概念図である。
【図３】図１に示した玄関ドアを示すもので、支持体が閉じた状態の横断面図である。
【図４】図１に示した玄関ドアを示すもので、支持体が開いた状態の横断面図である。
【図５】図１に示した玄関ドアに適用するドアパネルを室内側見たもので、支持体が開いた状態の概念図である。
【図６】図１に示した玄関ドアに適用するドアパネルを室外側から見たもので、表面材を取り外した状態の概念図である。
【図７】図１に示した玄関ドアに適用するドアパネルを室内側から見たもので、表面材を取り外した状態の概念図である。
【発明を実施するための形態】
【００１８】
以下、添付図面を参照しながら本発明に係るドアパネルの好適な実施の形態について詳細に説明する。
図１〜図５は、本発明の実施の形態であるドアパネルを示したものである。ここで例示するドアパネルは、建物の玄関に設けられた開口部１を開閉するもので、パネル体１０、支持体２０及び３つの液晶ディスプレイ（表示装置）３０，４０，５０を備えている。
【００１９】
パネル体１０は、図６及び図７に示すように、矩形状を成す架構枠１１の両面にそれぞれ表面材１２，１３を設けることによって構成したものである。架構枠１１は、上下の横框（構造材）１４及び左右の縦框（構造材）１５を四周枠組みすることによって構成してある。横框１４及び縦框１５は、それぞれ鋼材等の金属によって成形したもので、パネル体１０の一方の表面から他方の表面にわたって配置される幅を有している。本実施の形態の横框１４及び縦框１５では、図３及び図４に示すように、見込み方向に沿って延在する框基部１６ａと、框基部１６ａの両端縁から見付け方向に沿って内周側に延在する２つの支持板部１６ｂとを一体に成形したものを適用している。
【００２０】
ここで、見込み方向とは、図中の矢印Ａで示すように、建具の奥行きに沿った方向である。見込み方向に沿った面については見込み面と称する場合がある。見付け方向は、横框１４等のように水平方向に沿って延在するものの場合、見込み方向に直交した上下に沿う方向である。縦框１５等のように上下方向に沿って延在するものの場合には、見込み方向に直交した水平に沿う方向を見付け方向という。見付け方向に沿った面については、見付け面と称する場合がある。
【００２１】
表面材１２，１３は、鋼材等の金属によって構成した薄板部材であり、架構枠１１の両面を覆う状態で個々の周囲が横框１４の支持板部１６ｂ及び縦框１５の支持板部１６ｂに接合してある。室外側に配置される表面材（以下、区別する場合に外側表面材１２という）には、互いに上下となる２位置にそれぞれ矩形状の窓孔１２ａが設けてあり、室内側に配置される表面材（以下、区別する場合に内側表面材１３という）には、ほぼ中央となる位置に矩形状の切欠部１３ａが設けてある。内側表面材１３の切欠部１３ａは、外側表面材１２に設けた２つの窓孔１２ａに対向し、かつ２つの窓孔１２ａを含む大きさに構成してある。より具体的に説明すると、内側表面材１３の切欠部１３ａは、上下に沿った寸法が、外側表面材１２の上方に設けた窓孔１２ａの上縁から下方に設けた窓孔１２ａの下縁までの距離とほぼ一致し、左右に沿った寸法が窓孔１２ａよりも大きく構成してある。
【００２２】
図３〜図７に示すように、パネル体１０の架構枠１１には、上下の横框１４を互いに連結するように２本の補強材６０が設けてあるとともに、補強材６０の相互間を連結するように上下２つの連結プレート（連結材）６１が設けてある。補強材６０は、鋼材等の金属によって成形したものであり、見込み方向に沿った寸法が架構枠１１と同一となるように構成してある。本実施の形態では、見込み方向に沿って延在する縦壁部６０ａと、縦壁部６０ａの両端縁から見付け方向に沿って外周側に延在する２つの見付け壁部６０ｂ，６０ｃと、室内側に位置する見付け壁部６０ｃの延在縁部から室内側に向けて延在した後、外周側に向けて屈曲して延在する屈曲壁部６０ｄとを一体に成形した補強材６０を適用している。図には明示していないが、縦壁部６０ａの両端部は、それぞれ外周側に向けてほぼ直角に屈曲し、横框１４との取付部６０ｅとなっている。それぞれの補強材６０は、取付部６０ｅを介して上方の横框１４及び下方の横框１４に固定してある。補強材６０の相互間隔は、外側表面材１２に形成した窓孔１２ａの左右幅とほぼ同じに設定してある。連結プレート６１は、鋼材やアルミニウム合金等の金属によって成形した平板状部材である。それぞれの連結プレート６１は、個々の両側縁部にネジ挿通孔（図示せず）を有しており、ネジ挿通孔を介して補強材６０の室内に位置する見付け壁部６０ｃに取付ネジ６２を螺合することにより、補強材６０に取り付けてある。
【００２３】
上記のように構成したパネル体１０には、室外側となる部位に外側表面材１２の窓孔１２ａによって開口し、かつ連結プレート６１が内底面となる２つの収容部１０Ａが構成されるとともに、室内側となる部位に内側表面材１３の切欠部１３ａによって開口し、かつ連結プレート６１が内底面となる凹部１０Ｂが構成されることになる。このパネル体１０は、一方の縦框１５がドアヒンジ７０を介して建物の縦枠７１に取り付けてあり、上下に沿った軸心を中心として回転することにより、玄関の開口部１を開閉する玄関ドアとなる。図示の例では、室内側から見た場合に左側に位置する縦框１５にドアヒンジ７０が取り付けてある。
【００２４】
支持体２０は、内側表面材１３の切欠部１３ａを覆うことのできる大きさに構成した蓋状部材である。本実施の形態では、鋼材によって構成した矩形平板状を成す基板部２１と、基板部２１の四周に設けた側板部２２とを備えた支持体２０を適用している。基板部２１のほぼ中央となる位置には、窓孔２１ａが設けてある。この窓孔２１ａは、内側表面材１３の切欠部１３ａに比較して縦横の寸法がいずれも小さくなるように構成してある。この支持体２０は、基板部２１の内表面と、一方の補強材６０との間に介在させたヒンジ２３により、上下に沿ったヒンジ軸を中心にパネル体１０に対して回転することが可能である。すなわち、支持体２０は、図３に示すように、内側表面材１３に沿って配置された状態と、図４に示すように、内側表面材１３から突出して配置された状態とに移動することが可能である。本実施の形態では、室内側から見た場合に左側に位置する補強材６０、つまりドアヒンジ７０を設けた縦框１５に隣接する側の補強材６０にヒンジ２３が取り付けてある。図には明示していないが、パネル体１０と支持体２０との間には、支持体２０が内側表面材１３に沿って配置された状態を維持するためのロック手段が設けてある。
【００２５】
液晶ディスプレイ３０，４０，５０は、それぞれ外形が矩形状を成すもので、パネル体１０の室外側に上下２つ配置し、支持体２０に１つ配置してある。パネル体１０の室外側に配置した２つの液晶ディスプレイ（以下、区別する場合にそれぞれを外方ディスプレイ３０，４０という）は、同一の外形寸法を有している。支持体２０に配置した液晶ディスプレイ（以下、区別する場合に内方ディスプレイ５０という）は、縦横の寸法が外方ディスプレイ３０，４０よりも大きく構成してある。本実施の形態では、内方ディスプレイ５０として表示面５０ａにタッチ式の入力装置が設けられたタッチパネル式のものを適用している。
【００２６】
外方ディスプレイ３０，４０は、表示面３０ａ，４０ａが外側表面材１２の窓孔１２ａを介して外部から視認可能となる状態で背面を介して連結プレート６１に取り付けてある。外方ディスプレイ３０，４０の表示面３０ａ，４０ａは、外側表面材１２の表面と同じ、もしくは外側表面材１２の表面よりもわずかに内側となるように設定してある。外側表面材１２の表面には、その全面を覆うように、ガラス板等、透明のカバーパネル６３が取り付けてある。内方ディスプレイ５０は、表示面５０ａが基板部２１の窓孔２１ａを介して外部から視認可能となる状態で基板部２１の内表面に取り付けてある。内方ディスプレイ５０の表示面５０ａは、タッチパネル式であるため、基板部２１の窓孔２１ａを介して外部に露出した状態となっている。
【００２７】
なお、図には明示していないが、パネル体１０の内部に構成される隙間には、ＥＰＳやペーパコア等の芯材を充填するようにしている。これらの芯材と表面材１２，１３との間は、従来と同様、接着剤によって接着してある。さらに、液晶ディスプレイ３０，４０，５０の表示制御を行う制御装置は、パネル体１０に収納しても良いし、パネル体１０の外部に配設しても良い。
【００２８】
上記のように構成したドアパネルは、図１〜図３に示すように、支持体２０を内側表面材１３に沿って配置した状態が通常の使用状態となる。この状態においては、図示せぬ制御装置と液晶ディスプレイ３０，４０，５０との間で適宜制御信号を入出力することにより、パネル体１０の両面にそれぞれ所望の表示を行うことが可能となり、玄関ドアの付加価値を高めることができる。例えば、外方ディスプレイ３０，４０に対して四季に応じた画像を表示させれば、玄関ドアを交換することなく外観デザインを変更することができるようになる。また、内方ディスプレイ５０に対しては、当日のニュースや天気予報等、外出直前の住人に対して有用な情報を表示したり、タッチパネルを利用して各種情報を入力することも可能である。
【００２９】
上述の使用状態から、液晶ディスプレイ３０，４０，５０のメンテナンスが必要となった場合には、ロック手段（図示せず）を解除すれば、図４及び図５に示すように、パネル体１０に対して支持体２０を開くことが可能となる。この状態においては、連結プレート６１と補強材６０との間を連結する取付ネジ６２がパネル体１０の凹部１０Ｂを介して外部に露出することになる。また、内方ディスプレイ５０と支持体２０との間を連結する取付ネジ６４が外部に露出することになる。従って、これらの取付ネジ６２，６４を操作することで、ドアパネルから外方ディスプレイ３０，４０及び内方ディスプレイ５０を着脱させることが可能となり、メンテナンス作業を容易に実施できるようになる。
【００３０】
しかも、パネル体１０の架構枠１１に補強材６０を設け、かつ支持体２０を取り付けるためのヒンジ２３を補強材６０に取り付けるようにしている。従って、液晶ディスプレイ３０，４０，５０の荷重がヒンジ２３及び補強材６０を介してパネル体１０の架構枠１１に伝達されることになるため、重量の大きい大型の液晶ディスプレイ３０，４０，５０についても剛性上の問題を招来することなくパネル体１０に配設することが可能となる。
【００３１】
なお、上述した実施の形態では、玄関に適用されるドアパネルを例示しているが、玄関以外にももちろん適用可能である。また、ドアヒンジ７０によって開閉するものを例示しているが、スライドすることによって建物の開口部１を開閉するものに構成しても良い。パネル体１０がドアヒンジ７０によって開閉するように取り付けられるものの場合、上述した実施の形態では、パネル体１０においてドアヒンジ７０が取り付けられた縦框１５と内方ディスプレイ５０との間に配設された補強材６０に支持体２０のヒンジ２３を設けるようにしているため、内方ディスプレイ５０の荷重が加わる補強材６０がパネル体１０の荷重を受けるドアヒンジ７０の側に集中することになり、補強材６０を他の部分の補強に共用することができる等、パネル体１０の剛性を確保する上で有利となる。しかしながら、本発明はこれに限定されず、ドアヒンジ７０から離隔した補強材６０に支持体２０のヒンジ２３を取り付けるようにすることも可能である。
【００３２】
また、上述した実施の形態では、パネル体１０の両面が表示面となるように構成しているが、本発明はこれに限定されない。例えば、外方ディスプレイ３０，４０を省略し、内方ディスプレイ５０のみを備えたドアパネルを構成しても良い。この場合にも、支持体２０を開くことにより、内方ディスプレイ５０がパネル体１０から逸脱された状態となるため、実施の形態のものと同様、そのメンテナンスが容易になる。表示装置としては、液晶ディスプレイに限らず、その他の表示装置であっても構わない。
【符号の説明】
【００３３】
１  開口部、１０  パネル体、１０Ｂ  凹部、１２，１３  表面材、１４  横框、１５  縦框、２０  支持体、２１  基板部、２３  ヒンジ、３０，４０，５０  液晶ディスプレイ、３０ａ，４０ａ，５０ａ  表示面、６０  補強材、６１  連結プレート、７０  ドアヒンジ
【図１】
2019190112.tif 000003
【図２】
2019190112.tif 000004
【図３】
2019190112.tif 000005
【図４】
2019190112.tif 000006
【図５】
2019190112.tif 000007
【図６】
2019190112.tif 000008
【図７】
2019190112.tif 000009